(57)【要約】  ポータブル移動体通信デバイス１１０において電子番組表を操作する方法が提示される。ポータブル移動体通信デバイス１１０は、より大きなネットワークの一部であり、移動体無線アクセスネットワーク（ＭＲＡＮ）１２０と通信可能でありモバイルテレビサービスプロバイダ１３２から放送を受信することができる。ポータブル移動体通信デバイス１１０は、利用可能な番組のリストを表示し６１０、番組のうちの１つを選択する入力を受け付ける６３０。これにより、選択された番組に対して適用可能な選択肢のリストが表示されることになる６４５。ポータブル移動体通信デバイス１１０は次いで、入力を受け付け６５０、選択された番組のために選択された選択肢を実行する。選択肢のリストは、選択された番組をローカルに録画する選択肢６６０、リモートに録画する選択肢６６５、又はホーム・パーソナルビデオサーバ（ＰＶＲ）に録画する選択肢６７０を含む。また、選択された番組に対して適用可能な選択肢のリストは、選択された番組のためにリマインダを設定する選択肢６５５を含む。
2009516424.tif 000002
【特許請求の範囲】
【請求項１】
移動体無線アクセスネットワーク（ＭＲＡＮ）と通信可能でありモバイルテレビサービスプロバイダからコンテンツを受信可能なポータブル移動体通信デバイスにおいて電子番組表を操作する方法であって、
チャネル５１０で利用可能な番組のリストを前記ポータブル移動体通信デバイスのディスプレイ上に表示するステップと、
ユーザインタフェースから、列挙された前記番組のうちの１つを選択する入力を受け付けるステップ６３０と、
前記選択された番組に対して適用可能であり前記選択された番組を格納する複数の手段を提供する選択肢のリストを、前記ポータブル移動体通信デバイスの前記ディスプレイ上に表示するステップ６４５と、
ユーザインタフェースから、前記選択された番組のための前記選択肢のうちの１つを選択する入力を受け付けるステップ６５０と、
前記選択された番組のために前記選択された選択肢を実行するステップ６５５，６６０，６６５，６７０，６７５と、
を備えることを特徴とする方法。
【請求項２】
前記選択された番組に対して適用可能な選択肢の前記リストは、前記選択された番組を前記ポータブル移動体通信デバイスにローカルに格納する選択肢６６０を含むことを特徴とする請求項１に記載の方法。
【請求項３】
前記選択された番組に対して適用可能な選択肢の前記リストは、前記選択された番組を前記移動体無線アクセスネットワーク（ＭＲＡＮ）にリモートに格納する選択肢６６５を含むことを特徴とする請求項１に記載の方法。
【請求項４】
前記選択された番組に対して適用可能な選択肢の前記リストは、前記移動体無線アクセスネットワーク（ＭＲＡＮ）と前記モバイルテレビサービスプロバイダとホーム・パーソナルビデオレコーダ（ＰＶＲ）との間のインターネット接続を介して前記選択された番組を前記ホームＰＶＲにリモートに格納する選択肢６７０を含むことを特徴とする請求項１に記載の方法。
【請求項５】
前記選択された番組に対して適用可能な選択肢の前記リストは、前記移動体無線アクセスネットワーク（ＭＲＡＮ）と前記モバイルテレビサービスプロバイダとホーム・パーソナルビデオレコーダ（ＰＶＲ）との間のインターネット接続を介して前記選択された番組をインターネット格納デバイスにリモートに格納する選択肢６７５を含むことを特徴とする請求項１に記載の方法。
【請求項６】
前記選択された番組に対して適用可能な選択肢の前記リストは、前記移動体無線アクセスネットワーク（ＭＲＡＮ）と前記モバイルテレビサービスプロバイダとホームＰＶＲとの間のインターネット接続を介して前記選択された番組をコンピュータにリモートに格納する選択肢６７５を含むことを特徴とする請求項１に記載の方法。
【請求項７】
前記選択された番組に対して適用可能な選択肢の前記リストは、前記選択された番組について予定されている配信時刻以前の所定の時刻に前記ポータブル移動体通信デバイスの前記ディスプレイ上に表示される、前記選択された番組のためのリマインダを設定する選択肢６５５を含むことを特徴とする請求項１に記載の方法。
【請求項８】
前記チャネルは、前記ユーザインタフェースからの入力を介して変更可能であり、その結果、異なるチャネルの新しい番組リストが表示可能６２０であることを特徴とする請求項１に記載の方法。
【請求項９】
モバイルテレビサービスプロバイダから電子番組表及び放送番組を受信して表示することが可能であり、且つ移動体無線アクセスネットワーク（ＭＲＡＮ）と通信可能なポータブル移動体通信デバイス１１０であって、
前記モバイルテレビサービスプロバイダから電子番組表データ及び放送番組を受信するモバイルテレビデバイス２５０と、
前記モバイルテレビサービスプロバイダによって提供された電子番組表データ及び番組を格納する格納手段１１２と、
前記電子番組表データを受信して提示し、前記電子番組表データ上で実行可能な選択肢を制御する、電子番組表アプリケーション２２２と、
前記電子番組表データ、及び前記電子番組表データ上で実行可能な前記選択肢を表示する、ディスプレイ２１２と、
前記電子番組表アプリケーション２２２によって提示された表示画面の間をナビゲートして前記電子番組表データ上で実行可能な前記選択肢を制御するために前記電子番組表アプリケーション２２２を操作する入力を受け付けるユーザインタフェース２１０と、
前記電子番組表、及び前記電子番組表データ上で実行可能な前記選択肢に関係するデータを受信して処理し、前記電子番組表データ上で実行可能な前記選択肢を制御するために使用される入力に応えて前記モバイルテレビサービスプロバイダに対して命令を送信する、プロセッサ２２０と、
を備えることを特徴とするポータブル移動体通信デバイス１１０。
【請求項１０】
前記電子番組表データ上で実行可能な前記選択肢は、番組を選択して前記ポータブル移動体通信デバイスにローカルに録画する選択肢を含むことを特徴とする請求項９に記載のポータブル移動体通信デバイス１１０。
【請求項１１】
前記電子番組表データ上で実行可能な前記選択肢は、番組を選択して前記移動体無線アクセスネットワーク（ＭＲＡＮ）にリモートに録画する選択肢を含むことを特徴とする請求項９に記載のポータブル移動体通信デバイス１１０。
【請求項１２】
前記電子番組表データ上で実行可能な前記選択肢は、番組を選択して、前記移動体無線アクセスネットワーク（ＭＲＡＮ）と前記モバイルテレビサービスプロバイダとホーム・パーソナルビデオレコーダ（ＰＶＲ）との間のインターネット接続を介して前記ホームＰＶＲにリモートに録画する選択肢を含むことを特徴とする請求項９に記載のポータブル移動体通信デバイス１１０。
【請求項１３】
前記選択された番組に対して適用可能な前記選択肢は、前記移動体無線アクセスネットワーク（ＭＲＡＮ）と前記モバイルテレビサービスプロバイダとホーム・パーソナルビデオレコーダ（ＰＶＲ）との間のインターネット接続を介して前記選択された番組をインターネット格納デバイスにリモートに格納する選択肢を含むことを特徴とする請求項９に記載のポータブル移動体通信デバイス１１０。
【請求項１４】
前記選択された番組に対して適用可能な前記選択肢は、前記移動体無線アクセスネットワーク（ＭＲＡＮ）と前記モバイルテレビサービスプロバイダとホームＰＶＲとの間のインターネット接続を介して前記選択された番組をコンピュータにリモートに格納する選択肢を含むことを特徴とする請求項９に記載のポータブル移動体通信デバイス１１０。
【請求項１５】
前記電子番組表データ上で実行可能な前記選択肢は、選択された番組について予定されている放送時刻以前の所定の時刻に前記ポータブル移動体通信デバイスの前記ディスプレイ上に表示される、番組のためのリマインダを選択して設定する選択肢を含むことを特徴とする請求項９に記載のポータブル移動体通信デバイス１１０。
【請求項１６】
移動体無線アクセスネットワーク（ＭＲＡＮ）と通信可能でありモバイルテレビサービスプロバイダから放送を受信可能なポータブル移動体通信デバイスにおいて電子番組表を操作するコンピュータプログラムであって、
チャネルで利用可能な番組のリストを前記ポータブル移動体通信デバイスのディスプレイ上に表示するコンピュータプログラムコードと、
ユーザインタフェースから、列挙された前記番組のうちの１つを選択する入力を受け付けるコンピュータプログラムコードと、
前記選択された番組に対して適用可能であり前記選択された番組を録画する複数の手段を提供する選択肢のリストを、前記ポータブル移動体通信デバイスの前記ディスプレイ上に表示するコンピュータプログラムコードと、
ユーザインタフェースから、前記選択された番組のための前記選択肢のうちの１つを選択する入力を受け付けるコンピュータプログラムコードと、
前記選択された番組のために前記選択された選択肢を実行するコンピュータプログラムコードと、
を備えることを特徴とするコンピュータプログラム。
【請求項１７】
前記選択された番組に対して適用可能な選択肢の前記リストは、前記選択された番組を前記ポータブル移動体通信デバイスにローカルに録画するコンピュータプログラムコードを含むことを特徴とする請求項１６に記載のコンピュータプログラム。
【請求項１８】
前記選択された番組に対して適用可能な選択肢の前記リストは、前記選択された番組を前記移動体無線アクセスネットワーク（ＭＲＡＮ）にリモートに録画するコンピュータプログラムコードを含むことを特徴とする請求項１６に記載のコンピュータプログラム。
【請求項１９】
前記選択された番組に対して適用可能な選択肢の前記リストは、前記移動体無線アクセスネットワーク（ＭＲＡＮ）と前記モバイルテレビサービスプロバイダとホーム・パーソナルビデオレコーダ（ＰＶＲ）との間のインターネット接続を介して前記選択された番組を前記ホームＰＶＲにリモートに録画するコンピュータプログラムコードを含むことを特徴とする請求項１６に記載のコンピュータプログラム。
【請求項２０】
前記選択された番組に対して適用可能な選択肢の前記リストは、前記移動体無線アクセスネットワーク（ＭＲＡＮ）と前記モバイルテレビサービスプロバイダとホーム・パーソナルビデオレコーダ（ＰＶＲ）との間のインターネット接続を介して前記選択された番組をインターネット格納デバイスにリモートに格納する選択肢を含むことを特徴とする請求項１６に記載のコンピュータプログラム。
【請求項２１】
前記選択された番組に対して適用可能な選択肢の前記リストは、前記移動体無線アクセスネットワーク（ＭＲＡＮ）と前記モバイルテレビサービスプロバイダとホームＰＶＲとの間のインターネット接続を介して前記選択された番組をコンピュータにリモートに格納する選択肢を含むことを特徴とする請求項１６に記載のコンピュータプログラム。
【請求項２２】
前記選択された番組に対して適用可能な選択肢の前記リストは、前記選択された番組について予定されている放送時刻以前の所定の時刻に前記ポータブル移動体通信デバイスの前記ディスプレイ上に表示される、前記選択された番組のためのリマインダを設定するプログラムコードを含むことを特徴とする請求項１６に記載のコンピュータプログラム。
【発明の詳細な説明】
【技術分野】
【０００１】
本発明は、ポータブル移動体通信デバイス及びシステムに関し、より詳しくは、進化した電子番組表（ＥＰＧ）を介して移動体デバイスへオーディオコンテンツ／ビデオコンテンツを便利に配信可能なポータブル移動体通信デバイス、システム、及び方法に関する。
【背景技術】
【０００２】
移動体電話などのポータブル移動体通信デバイスは更に洗練されたものとなってきており、多くの新しい特徴及び機能を含んでいる。そのような特徴の１つは、例えばdigital video broadcast-handheld（ＤＶＢ−Ｈ）、digital media broadcast（ＤＭＢ）、地上デジタル放送（ＩＳＤＢ−Ｔ）、マルチメディア・ブロードキャスト／マルチキャスト・サービス（ＭＢＭＳ）、或いはこれらに似た技術などの、移動体放送テレビ信号やモバイルテレビなどを受信する機能である。移動体電話に組み込まれた場合、前述の技術は全て、独立したモバイルテレビチューナを使用する（例外はＭＢＭＳであり、これはポータブル移動体通信デバイスの既存の移動体無線送受信機を使用して受信可能である）。
【０００３】
サードパーティーのプロバイダは、モバイルテレビを備えた移動体電話などのポータブル移動体デバイスによって視聴可能なコンテンツや番組を保持する。このコンテンツ（即ち、番組）は、テレビネットワークのスケジュールと同様に、契約者が利用可能なようになされる。それゆえ、視聴者／契約者は、現在放送されているコンテンツに対してチューニングすることができる。残念ながらこのスキームでは、視聴者は、現在放送されているものしか見ることができない。視聴者が既に放映された番組を視聴可能であったり、将来の番組を元々スケジュールされていた放送時間ではない時に視聴する機能を保持したりするような、視聴のタイムシフトは提供されない。
【０００４】
現在、上述したユーザのジレンマに取り組む規定は存在しない。必要とされているものは、視聴者のスケジュールに適合するタイムシフトされた基準で番組を視聴する機能を視聴者が選択的に確保できるようにするメカニズムである。
【発明の開示】
【課題を解決するための手段】
【０００５】
本発明は、ポータブル移動体通信デバイスにおいて電子番組表を操作する方法を提供する。ポータブル移動体通信デバイスは、より大きなネットワークの一部であり、移動体無線アクセスネットワーク（ＭＲＡＮ）と通信可能でありモバイルテレビサービスプロバイダから放送を受信することができる。
【０００６】
ポータブル移動体通信デバイスは、デフォルトチャネルで利用可能な番組のリストを表示し、ユーザインタフェースから、列挙された番組のうちの１つを選択する入力を受け付ける。これにより、ポータブル移動体通信デバイスは、選択された番組に対して適用可能な選択肢のリストを表示することになる。これらの選択肢は、選択された番組を録画する複数の手段を提供する。ポータブル移動体通信デバイスは次いで、ユーザインタフェースから、選択された番組のための選択肢のうちの１つを選択する入力を受け付け、選択された番組のために選択された選択肢を実行する。
【０００７】
選択された番組に対して適用可能な選択肢のリストは、選択された番組をポータブル移動体通信デバイスにローカルに録画する選択肢と、選択された番組を移動体無線アクセスネットワーク（ＭＲＡＮ）にリモートに録画する選択肢と、移動体無線アクセスネットワーク（ＭＲＡＮ）とモバイルテレビサービスプロバイダとホーム・パーソナルビデオレコーダ（ＰＶＲ）との間のインターネット接続を介して選択された番組をホームＰＶＲにリモートに録画する選択肢と、を含む。
【０００８】
また、選択された番組に対して適用可能な選択肢のリストは、選択された番組のためにリマインダを設定するオプションを含む。リマインダは、選択された番組について予定されている放送時刻以前の所定の時刻にポータブル移動体通信デバイスのディスプレイ上に表示される。
【０００９】
上述した方法は、ポータブル移動体通信デバイス内に存在して実行されるソフトウェア（即ち、電子番組表アプリケーション）として実装可能である。電子番組表アプリケーションは、データとユーザインタフェースの入力とを受信し、ここで説明する通信手段を使用して適切なデバイスとデータ通信を行うことを介して、上述の選択肢の実行を引き起こす。
【発明を実施するための最良の形態】
【００１０】
以下の実施形態の詳細な説明は、本発明の具体的な実施形態を説明する添付の図面を参照する。異なる構造や動作を持つ他の実施形態は、本発明の範囲から逸脱する訳ではない。
【００１１】
当業者によって理解されるように、本発明は、方法、システム、或いはコンピュータプログラム製品によって実現可能である。従って、本発明は、完全にハードウェアの実施形態という形式を取ってもよいし、完全にソフトウェア（ファームウェア、常駐ソフトウェア、マイクロコード等を含む）の実施形態という形式を取ってもよいし、ソフトウェアの態様とハードウェアの態様とを組み合わせた実施形態という形式を取ってもよい。そして、これらはここで全て一般的に、「回路」、「モジュール」、又は「システム」と呼ばれる。更に、本発明は、媒体に収録したコンピュータ使用可能なプログラムコードを有する、コンピュータ使用可能な記録媒体上のコンピュータプログラム製品という形式を取ることもできる。
【００１２】
あらゆる適切なコンピュータ読み取り可能な媒体を利用可能である。コンピュータ使用可能な或いはコンピュータ読み取り可能な媒体には、例えば、電気、磁気、光、電磁気、赤外線、或いは半導体による、システム、装置、デバイス、又は伝播媒体が含まれるが、これらに限定はされない。コンピュータ読み取り可能な媒体のより具体的な例（全てを網羅したリスではない）は、以下のものを含む。即ち、１以上の接続線を有する電気接続、ポータブルコンピュータ・ディスケット、ハードディスク、ランダムアクセスメモリ（ＲＡＭ）、リードオンリーメモリ（ＲＯＭ）、消去可能でプログラム可能なリードオンリーメモリ（ＥＰＲＯＭ又はフラッシュメモリ）、光ファイバ、ポータブル・コンパクトディスク−リードオンリーメモリ（ＣＤ−ＲＯＭ）、光記録デバイス、インターネットやイントラネットをサポートするものなどの伝送媒体、或いは磁気記録デバイスである。なお、コンピュータ使用可能な或いはコンピュータ読み取り可能な媒体には、プログラムが印刷された紙や他の適切な媒体さえも含まれ得る。というのも、例えば加味や他の媒体の光学スキャンによりプログラムは電気的にキャプチャ可能であり、次いで必要であれば、コンパイルし、解釈し、或いはそうでなければ適切な方法で処理し、そして、コンピュータメモリに格納することが可能だからである。本明細書の文脈において、コンピュータ使用可能な或いはコンピュータ読み取り可能な媒体は、命令実行システム、装置、又はデバイスによる使用或いはこれらに関連する使用を目的として、プログラムを収容、格納、通信、伝播、或いは伝送することができるあらゆる媒体であってよい。
【００１３】
本発明の動作を実行するコンピュータプログラムコードは、Ｊａｖａ（登録商標）、Ｓｍａｌｌｔａｌｋ、Ｃ＋＋などのオブジェクト指向プログラミング言語で記述可能である。しかしながら、本発明の動作を実行するコンピュータプログラムコードは、「Ｃ」プログラミング言語やこれに類似するプログラミング言語などの、従来の手続き型プログラミング言語でも記述可能である。プログラムコードは、ユーザのコンピュータ上で全体を実行してもよいし、スタンドアロンのソフトウェアパッケージとしてユーザのコンピュータ上で部分的に実行してもよいし、ユーザのコンピュータ上で部分的に実行し且つリモートコンピュータ上で部分的に実行してもよいし、リモートコンピュータ又はサーバ上で全体を実行してもよい。後者のシナリオでは、ローカルエリアネットワーク（ＬＡＮ）又はワイドエリアネットワーク（ＷＡＮ）を介してリモートコンピュータがユーザのコンピュータに接続されていてもよいし、この接続は外部コンピュータに対してなされてもよい（例えば、インターネットサービスプロバイダを使用するインターネットを介して）。
【００１４】
本発明の実施形態に従う方法、装置（システム）、及びコンピュータプログラム製品に関するフローチャートの説明及び／又は(and/or)ブロック図（フローチャートの説明及びブロック図のうちの少なくとも一方）を参照して、以下に本発明を説明する。フローチャートの説明及び／又はブロック図の各ブロック、及びフローチャートの説明及び／又はブロック図におけるブロックの組み合わせは、コンピュータプログラム命令によって実装可能であるということが理解できよう。これらのコンピュータプログラム命令は、汎用コンピュータ、専用コンピュータ、或いは機械を生み出す他のプログラム可能なデータ処理装置のプロセッサへと提供され、コンピュータ又は他のプログラム可能なデータ処理装置のプロセッサを介して実行される命令は、フローチャート及び／又はブロック図の単数又は複数のブロックにおいて指定される機能／動作を実装する手段を生成する。
【００１５】
コンピュータプログラム命令はまた、コンピュータ読み取り可能なメモリ内に格納することもでき、このメモリは、コンピュータ又は他のプログラム可能なデータ処理装置に対して特定の方法で機能するように指示することができ、こうして、コンピュータ読み取り可能なメモリ内に格納された命令は、製品を生産する。この製品は、フローチャート及び／又はブロック図の単数又は複数のブロックにおいて指定される機能／動作を実装する命令手段を含む。
【００１６】
コンピュータプログラム命令はまた、コンピュータ又は他のプログラム可能なデータ処理装置へとロードされ、コンピュータ又は他のプログラム可能なデータ処理装置の上で実行される一連の動作を引き起こし、コンピュータに実装されるプロセスを産み出し、こうして、コンピュータ又は他のプログラム可能なデータ処理装置の上で実行される命令はフローチャート及び／又はブロック図の単数又は複数のブロックにおいて指定される機能／動作を実装するステップを提供する。
【００１７】
図１は、モバイルテレビデバイスからコンテンツを便利に処理するための典型的なシステムのブロック図である。システム１００は、digital video broadcast-handheld（ＤＶＢ−Ｈ）、digital media broadcast（ＤＭＢ）、地上デジタル放送（ＩＳＤＢ−Ｔ）、マルチメディア・ブロードキャスト／マルチキャスト・サービス（ＭＢＭＳ）、或いはこれらに似た技術でよい。移動体電話に組み込まれた場合、前述の技術は全て、独立したモバイルテレビチューナを使用する（例外はＭＢＭＳであり、これはポータブル移動体通信デバイスの既存の移動体無線送受信機を使用して受信可能である）。
【００１８】
ポータブル移動体通信デバイス１１０は、コードレス電話、セルラ電話、携帯情報端末（ＰＤＡ）、コミュニケ−タ、コンピュータデバイスなどであってよく、特定の通信標準（例えば、Advanced Mobile Phone Service（ＡＭＰＳ）、Digital Advanced Mobile Phone Service（Ｄ−ＡＭＰＳ）、汎欧州デジタル移動電話方式（ＧＳＭ）、符号分割多元接続（ＣＤＭＡ）など）に限られない。図２に示すポータブル移動体通信デバイス１１０の設計は本発明を説明することを目的としたものであり、本発明はいかなる特定の設計にも限定されない。
【００１９】
図２に示すポータブル移動体通信デバイス１１０は、オペレータインタフェース即ちユーザインタフェース２１０を含むことができ、これはポータブル移動体通信デバイス１１０の動作を制御することを容易にする。この動作は、通話及び他の通信を開始及び実行することを含む。ユーザインタフェース２１０は、契約者即ちユーザに対して、ポータブル移動体通信デバイス１１０の状態及び動作に関する視覚化信号を提供するディスプレイ２１０を含むことができる。ディスプレイ２１２は、カラー画像を提示可能な液晶ディスプレイ（ＬＣＤ）などであってよい。ディスプレイ２１２は、画像、テキスト、数字、文字、グラフィカルユーザインタフェース（ＧＵＩ）などの形式で、ユーザ即ちオペレータに対して情報を提供することができる。
【００２０】
ユーザインタフェース２１０はまた、ジョイスティックなどのポインティングデバイスを含んだ、キーパッド及びファンクションキー或いはファンクションボタン２１４を含むことができる。キーパッド、ファンクションボタン、及びジョイスティック２１４により、ユーザは、ポータブル移動体通信デバイス１１０に対してコマンドを通信し、これにより、電話番号をダイヤルし、呼を開始及び終了し、他の通信（例えば、モバイルテレビプロバイダへのアクセス、インターネット、Ｅメールやテキストメッセージなどの送受信など）を確立することができるようになる。キーパッド、ファンクションボタン、及びジョイスティック２１４はまた、ポータブル移動体通信デバイス１１０の他の動作を制御するために使用可能である。キーパッド、ファンクションボタン、及びジョイスティック２１４はまた、接触入力を受信するようになされたタッチ・センシティブ・ディスプレイの上に実装することも可能である。
【００２１】
ディスプレイ２１２、キーパッド及びファンクションボタン２１４は、メインプロセッサ及び制御論理ユニット２２０に対して接続可能である。プロセッサ及び制御論理ユニット２２０は、マイクロプロセッサなどであってよい。プロセッサ及び制御論理ユニット２２０は、コンテンツサービスプロバイダに対応する開始点及び終了点を設定するアプリケーション２２２を含み得る。図６の方法６００においてポータブル移動体通信デバイス１１０に関して説明される機能及び動作は、電子番組表（ＥＰＧ）アプリケーション２２２内に実装され得る。電子番組表アプリケーション２２２は、ハードウェア、ファームウェア、ソフトウェア（データ構造）、或いはこれらの組み合わせの中で実装され得る。プロセッサ及び論理ユニット２２０はまた、他のデータ構造、ソフトウェアプログラム、コンピュータアプリケーションなどを含み、制御信号をエンコード及びデコードし、ここで説明する通信手順及び他の機能を実行することができる。
【００２２】
ユーザインタフェース２１０はまた、マイクロフォン及びスピーカ２１６を含み得る。マイクロフォン２１６は、オーディオ信号及び音響信号を、ユーザ又は他の音源から受信することができる。マイクロフォン２１６は、オーディオ信号又は音響信号を電気信号へと変換することができる。マイクロフォン２１６は、プロセッサ及び論理ユニット２２０に接続され、プロセッサ及び論理ユニット２２０は、電気信号をベースバンド通信信号へと変換することができる。プロセッサ及び制御論理ユニット２２０は、プロセッサ及び制御論理ユニット２２０からのベースバンド信号を無線周波数（ＲＦ）信号へと変換可能な移動体無線送受信機２３０に接続され得る。移動体無線送受信機２３０は、移動体無線アクセスネットワーク（ＭＲＡＮ）１２０などの通信媒体又は通信システムへＲＦ信号を送信するためのアンテナアセンブリ２４０に接続され得る。移動体無線送受信機２３０はまた、ＭＢＭＳ標準に従ってモバイルテレビ放送を受信することができる。このシナリオにおいて、ＭＲＡＮはモバイルテレビサービスプロバイダとして機能する。
【００２３】
アンテナアセンブリ２４０は、エアを介してＲＦ信号を受信し、無線受信機２３０へＲＦ信号を転送することができる。無線受信機２３０は、ＲＦ信号をベースバンド信号へと変換することができる。ベースバンド信号は、これを電気信号へと変換することができるプロセッサ及び制御論理ユニット２２０へと印加される。プロセッサ及び制御ユニット２２０は、電気信号をユーザが理解可能なオーディオ信号へと変換することができるスピーカ２１６へと電気信号を送信することができる。
【００２４】
ポータブル移動体通信デバイス１１０はまた、モバイルテレビデバイス２５０を含み得る。モバイルテレビデバイス２５０は、ＤＶＢ−Ｈタイプのデバイスなどであってよい。モバイルテレビデバイス２５０は、ポータブル移動体通信デバイス１１０の一部として一体的に形成されていてもよいし、ポータブル移動体通信デバイス１１０に接続されこれに関連して動作する独立したユニットであってもよい。モバイルテレビデバイス２５０は、モバイルテレビ放送ネットワークや放送無線アクセスネットワーク（Ｂ−ＲＡＮ）１３０などから番組の放送信号を受信するためのアンテナアセンブリ２５２を含み得る。受信機２５４は、放送信号を受信するアンテナアセンブリ２５２に接続され得る。信号プロセッサ２５６は、受信機２５４から放送信号を受信し、この信号をポータブル移動体通信デバイス１１０のディスプレイ２１２上に提示するためのフォーマットに変換することができる。或いは、信号プロセッサ２３０が受信機２５４から放送信号を受信し、この信号をポータブル移動体通信デバイス１１０のディスプレイ２１２上に提示するためのフォーマットに変換してもよい。ポータブル移動体通信デバイス１１０はまた、モバイルテレビデバイス２５０が受信したコンテンツを格納する格納手段１１２を含む。格納手段１１２として、内部記録デバイス、又はコンパクトフラッシュ（登録商標）カードやメモリスティックなどのリムーバブル記録媒体がいくつあってもよい。
【００２５】
Ｂ−ＲＡＮ１３０は、ポータブル移動体通信デバイス１１０やモバイルテレビデバイス２５０などの通信デバイス又はモバイルテレビデバイスに対して放送を行うためにモバイルテレビ信号又はＤＶＢ−Ｈ放送信号を送出(originate)できる。Ｂ−ＲＡＮ１３０は、放送信号を送信するための送信機を含むことができる。
【００２６】
Ｂ−ＲＡＮ１３０は、モバイルテレビサービスプロバイダ１３２に接続され得る。モバイルテレビサービスプロバイダ１３２は、Ｂ−ＲＡＮ１３０を介して通信デバイス１１０又はモバイルテレビデバイス２５０に対して放送を行うために番組を送出することができる。モバイルテレビサービスプロバイダ１３２は、コンテンツ（例えば、ＥＳＰＮ、ＨＢＯ、ＣＮＮなどのサードパーティーの放送局からの番組）をホスティングして管理するためのコンテンツサーバ１３４を含み得る。コンテンツサーバ１３４は、コンテンツ格納部１３８と、契約者が入手可能なコンテンツを表す電子番組表データ１３６とを含む。電子番組表データ１３６は、加入者に対して送信或いは放送され、これにより加入者は、自分のモバイルテレビデバイス２５０上でどの番組をいつ入手可能であるかを判断することができる。
【００２７】
モバイルテレビサービスプロバイダ１３２及びＭ−ＲＡＮ１２０は、ポータブル移動体通信デバイス１１０／モバイルテレビデバイス２５０の組み合わせがＭ−ＲＡＮ１２０を介してモバイルテレビサービスプロバイダ１３２へとデータを送信可能にすることを目的として、相互に通信可能である。これはモバイルテレビサービスプロバイダ１３２とＭ−ＲＡＮ１２０との間の直接接続であってもよいし、データ通信のためのブリッジとして機能できるインターネット１４０に両者が接続されてもよい。加えて、格納手段１５５を含むホーム・パーソナルビデオレコーダ（ＰＶＲ）１５０がインターネット１４０と通信してもよく、これにより、ポータブル移動体通信デバイス１１０、Ｍ−ＲＡＮ１２０、モバイルテレビサービスプロバイダ１３２、及びホーム・パーソナルビデオレコーダ（ＰＶＲ）１５０の間でのデータの転送が可能になる。格納部の他の選択肢はインターネットのパーソナル格納部１７０メカニズムであり、これは例えばインターネット１４０を介してアクセス可能なインターネットサービスプロバイダ（ＩＳＰ）から確保された領域などである。格納部の更に他の選択肢は、自分の記録機能を持ちインターネット１４０からアクセス可能なラップトップ或いはノートブックのコンピュータ１８０である。
【００２８】
図３は、電子番組表のトップレベル表示３００の一実施形態を示すブロック図である。電子番組表のトップレベル表示３００は、選択された「チャネル」のための番組のリストとして構成される。チャネルは一般的に、独立してチューニング可能なコンテンツソースを表すが、これは、ユーザが契約可能であってモバイルテレビデバイス２５０を介して受信可能な多数の他のコンテンツソースのうちの１つに過ぎない。チャネルの例には、ＥＳＰＮ、ＨＢＯ、ＣＮＮなどが含まれる。
【００２９】
本例においては、番組が表示されているチャネルはＥＳＰＮである。時間順に従って番組が列挙されており、これによりユーザは、関心のある番組が存在するか否かを見るために現在時刻から未来に向かってスキャンすることができる。ユーザは、スクリーンをナビゲートするために前述したユーザインタフェース・ツールを利用する。現在、ユーザは、リスト中の「9:00 PM 2005 World Series of Poker」項目３１０へとスクロール即ちナビゲートした。現在選択されている番組がハイライトされたり、そうでなくても列挙されている他の番組との関係でディスプレイ上で目立つようになされるので、選択されていることを認識可能である。番組のリストに加えて、ディスプレイは、他のチャネルの番組を表示する際の手助けをするファンクションキー３２０、３３０も表示し、また、ハイライトされた番組を選択して図４に示すような補助的なディスプレイを起動する「選択」キー３４０も表示する。補助的なディスプレイにより、ユーザは、所望の番組に関する視聴オプションや録画オプションを選択することができる。ファンクションキー３２０、３３０、及び３４０は、ソフトキーとして実装可能である。これは、ディスプレイ上に描画された機能を呼び出すためにはユーザインタフェース上で実際のキーを押下しなければならないということを意味する。ソフトキー方式は一般的に使用される。なぜなら、ソフトキーは新しい機能へと再設定されてもその機能を呼び出すために依然として同一のハードキーを使用するので、特定の「ハード」キーの必要性が減少するからである。
【００３０】
図４は、電子番組表の第２レベル表示４００の一実施形態を示すブロック図である。これは、ユーザが図３から「選択」ファンクションキーを選択すると表れるスクリーン表示である。この第２レベル表示４００は、ユーザに、選択された番組に関係する情報４１０を提供する。情報４１０は、番組の放送の、チャネルと、開始時刻及び終了時刻とを含む。補助的なスクリーン表示４００はまた、選択された番組のためのリマインダオプション及び録画オプションを列挙し、また、以前のディスプレイスクリーンへと戻ったり（バック４３０）、リマインダオプション又は録画オプションを選択したり（選択４４０）するファンクションキーも列挙する。この例では、ユーザは「電話に録画」オプション４２０へとナビゲートした。
【００３１】
図５は、格納された番組に関する移動体デバイスの表示を示すブロック図であり、格納された番組の場所が特定されている。以前に格納した番組のうちの１つをユーザが視聴したいと望む場合、ユーザは「格納番組」画面（のようなもの）をナビゲートする。この画面は、既に生で放映済みであるにも関わらず現在でも視聴のために利用可能な番組を表示する。この例では、視聴者は３つの格納番組から選択可能である。リスト中の番組は必ずしもローカルに格納されているコンテンツを表す必要は無い。実際には、「ESPN World Series of Poker」項目５１０のみがポータブル移動体通信デバイス上にローカルに格納されている。他の２つの選択肢は、Ｍ−ＲＡＮ１２０及びユーザのホームＰＶＲ１５０に格納されている。この画面から、ユーザは列挙された番組を操作することができる。操作には、ローカルに格納されているか又はＭ−ＲＡＮネットワークに格納されている番組を視聴する機能５２０に加えて、既に視聴したか又はもはや必要の無い番組を消去する機能５３０が含まれる。図示しないが、他の形式の番組操作には、番組の再生、一時停止、早送り、或いは巻戻しの機能が含まれ得る。
【００３２】
なお、メニュー、リスト、スクリーンショットなどの外観の描写は単に説明的なものに過ぎない。当業者であれば、本発明の範囲に影響を与えること無しに、ユーザインタフェースの「ルック・アンド・フィール」を変更することが可能である。
【００３３】
図６は、本発明の実施形態に従い、電子番組表を介して移動体電話からコンテンツを便利に処理する方法を説明するフローチャートである。ブロック６０５で、ユーザは電子番組表アプリケーションを起動する。これにより、ブロック６１０で、ポータブル移動体通信デバイスが、図３に示す画面表示に従ってデフォルトチャネルの番組を表示するようになる。デフォルトチャネルとは、ユーザが規定したお気に入りのチャネルでもよいし、ユーザが使用した最後のチャネルでもよいし、モバイルテレビサービスプロバイダが提供するチャネル帯域の一端でもよいし、他の何らかの方法で決定されたものでもよい。ブロック６１５で、ポータブル移動体通信デバイスは、他のチャネルで利用可能な番組を明らかにするためにユーザがチャネルを上又は下に変更することを望むか否かを確認するために入力を待ち受ける。他のチャネルの番組を見ることをユーザが望んでいるということを示す入力が受信された場合、ブロック６２０で、電子番組表アプリケーションは新たに選択されたチャネルの番組を表示する。ポータブル移動体通信デバイスは再び、ユーザがチャネルを変更することを望むか否かを確認するために入力を待ち受ける。そうでない場合、ブロック６２５で、ユーザは所望の番組がハイライトされるまで現在のチャネルに関して列挙されているプログラムの間をナビゲートすることになる。ポータブル移動体通信デバイスは次いで、ブロック６３０で再びユーザの入力を待ち受ける。ユーザは、戻る即ち出るを選択して、電子番組表アプリケーションのメインメニューへと表示を戻すことができる（６４０）。或いは、ユーザはハイライトされた番組を「選択」することにより、ブロック６４５で、選択された番組のための番組情報及び録画オプションを示す図４の画面表示が現れるようにすることができる。ブロック６５０で、ポータブル移動体通信デバイスは再び、ユーザの入力を待ち受ける。ユーザは、戻る即ち出るを選択して、ブロック６２５で示した番組のリストへと表示を戻すことができる。或いは、ユーザはリマインダ又は録画オプションの一方から選択を行うことができる。
【００３４】
本例では、４つの選択肢がある。ブロック６５５に示す第１の選択肢によれば、ユーザは、特定の番組のためのリマインダを設定することができる。リマインダの選択肢は、ポータブル移動体通信デバイスのカレンダー機能にアクセスし、番組の放映前の指定された時刻に「ポップアップ」を行うアラートを生成する。リマインダが設定されると、ユーザは更なる選択肢のために図４に示す画面表示へと戻ることができる。
【００３５】
ブロック６６０に示す第２の選択肢によれば、ユーザは番組を録画してポータブル移動体通信デバイスにローカルに格納することができる。この選択肢を選択すると、モバイルテレビデバイスは、所望の番組を受信するために適切な時刻に選択されたチャネルへとチューニングを行うことになる。そして、後刻視聴可能なように、番組はローカルに格納される。Ｍ−ＲＡＮへの接続が無くても番組を視聴可能なので、ローカルに格納することには利点がある。例えば、ポータブル移動体通信デバイスをＭ−ＲＡＮに接続することが禁止されているフライト中に、ユーザはローカルに格納された番組を視聴することができる。
【００３６】
ブロック６６５に示す第３の選択肢によれば、ユーザは番組を録画してＭ−ＲＡＮにリモートに格納することができる。この選択肢を選択すると、モバイルテレビデバイスは、Ｍ−ＲＡＮに対してモバイルテレビサービスプロバイダから所望の番組を取得して格納するように指示を送信することになる。ポータブル移動体通信デバイスからＭ−ＲＡＮとの接続を確立することによって、後刻番組を視聴することが可能である。Ｍ−ＲＡＮはポータブル移動体通信デバイスよりも恐らく大きな記録容量を持つため、リモートに格納することには利点がある。
【００３７】
ブロック６７０に示す第４の選択肢によれば、ユーザは、モバイルテレビサービスプロバイダからユーザのホームＰＶＲへと番組をルーティングさせることになる。この選択肢によれば、ユーザは家でより大きなディスプレイ上で番組を視聴することができる。
【００３８】
本発明に関連するあらゆるプロンプト（ユーザに対する入力受け付け表示）は、双方向音声機能やポータブル移動体通信デバイスのディスプレイ上に提示されるグラフィカルユーザインタフェース（ＧＵＩ）などを介して、提示され応答され得る。
【００３９】
図面におけるフローチャート及びブロック図は、本発明の多様な実施形態に従うシステム、方法、及びコンピュータプログラム製品に関する可能性のある実装についての、アーキテクチャ、機能、及び動作を説明する。この点で、フローチャート又はブロック図における各ブロックは、モジュール、セグメント、或いは、指定された（単数又は複数の）論理機能を実装する１以上の実行可能な命令を含む一部のコードを表す。また、いくつかの代替の実装において、ブロック中で言及された機能は、図に記載された順序とは異なる順序で行われてもよい。例えば、連続して示される２つのブロックは実際には、関連する機能に応じて、実質的に同時に実行されてもよいし、時には反対の順序で実行されてもよい。また、ブロック図及び／又はフローチャートの説明における各ブロック、及びブロック図及び／又はフローチャートの説明におけるブロックの組み合わせは、指定された機能或いは動作を実行する専用ハードウェアベースのシステムによって実装されてもよいし、専用ハードウェアとコンピュータ命令との組み合わせによって実装されてもよい。
【００４０】
ここで使用される専門用語は、特定の実施形態を説明するだけの目的であって、本発明の限定となることを意図したものではない。ここで使用されるように、単数形「a」「an」及び「the」は、文脈が明確にそうではないと示していない限り、複数形も含むことを意図している。更に、「含む(comprises)」及び／又は「含んでいる(comprising)」という用語は、本明細書で使用される場合、言及された特徴、整数、ステップ、動作、要素、及び／又はコンポーネントの存在を指定するが、１以上の他の特徴、整数、ステップ、動作、要素、コンポーネント、及び／又はこれらの集合の存在或いは追加を排除するものではないということが理解できるだろう。
【００４１】
ここでは具体的な実施形態を示して説明してきたが、当業者であれば、同一の目的を達成すると評価されるあらゆる構成を、示してきた具体的な実施形態の代わりに使用可能であり、本発明は他の環境における他の適用も持つということを、理解する。本出願は、本発明のあらゆる改変及び変形をカバーすることを意図している。以下の請求の範囲は、本発明の範囲をここで説明した具体的な実施形態に限定することを全く意図していない。
【図面の簡単な説明】
【００４２】
【図１】モバイルテレビデバイスからコンテンツを便利に処理するための典型的なシステムのブロック図である。
【図２】モバイルテレビデバイスからコンテンツを便利に処理するための、図１のシステム内で使用される典型的なポータブル移動体通信デバイスのブロック図である。
【図３】電子番組表のトップレベル表示の一実施形態を示すブロック図である。
【図４】電子番組表の第２レベル表示の一実施形態を示すブロック図である。
【図５】格納された番組に関する移動体デバイスの表示を示すブロック図であり、格納された番組の場所が特定されている。
【図６】本発明の実施形態に従い、電子番組表を介して移動体電話からコンテンツを便利に処理する方法を説明するフローチャートである。
【図１】
2009516424.tif 000003
【図２】
2009516424.tif 000004
【図３】
2009516424.tif 000005
【図４】
2009516424.tif 000006
【図５】
2009516424.tif 000007
【図６】
2009516424.tif 000008
【国際調査報告】
2009516424.tif 000009
2009516424.tif 000010
2009516424.tif 000011